(57)【要約】【課題】使用者側から見えない箇所に配置した発光素子の光を導光板に設けた拡散部にて円周方向と鉛直方向に拡散させ、ダイヤル操作ボタンを取り囲む光リングを均一に発光させること。【解決手段】高周波加熱調理器本体１のドア２内の基板１０に複数取り付けられたＬＥＤ１３と、円筒状の導光板本体３０及び導光板本体の一端面から斜めに延出して形成され、端面がＬＥＤと対向する複数の突部３１からなる導光板２９と、各突部の外周面に設けられ、各突部の端面から入射したＬＥＤの光を内部に反射する反射部材３４と、反射された光を導光板の円周方向と鉛直方向に拡散させる拡散部２７を有し、導光板を保持する導光板保持部材２４と、ドア表面に取り付けられ、裏面の一部が導光板本体の他端面に当接され、表面がドア表面側に位置する光リング４０と、光リングの内側に配置されたダイヤル操作ボタン５とを備えている。【選択図】図１
2008281250.tif 000002
【特許請求の範囲】
【請求項１】
加熱調理器本体の前面側パネル又はドア内に配設された基板に取り付けられた複数の発光素子と、
透明な樹脂からなる円筒状の導光板本体及び該導光板本体の一端面から斜めに延出して形成され、端面が前記発光素子と対向する複数の突部からなる導光板と、
前記導光板の各突部の外周面に設けられ、該各突部の端面から入射した発光素子の光を該突部内周面に向けて内部に反射する反射部材と、
該反射部材によって反射された発光素子の光を前記導光板の円周方向と鉛直方向に拡散させる第１の拡散部を有し、且つ前記基板に取り付けられて前記導光板を保持する導光板保持部材と、
前記加熱調理器本体の前面側パネル又はドア表面のスイッチ取付穴に取り付けられ、裏面の一部が前記導光板本体の他端面に当接され、表面が前面側パネル又は前記ドア表面側に位置する透明な樹脂で形成された光リングと、
光リングの内側に配置されたダイヤル操作ボタンと、
を備えたことを特徴とする加熱調理器。
【請求項２】
前記導光板の各突部の内周側に拡散凹部が設けられていることを特徴とする請求項１記載の加熱調理器。
【請求項３】
前記導光板保持部材の第１の拡散部は、前記導光板の拡散凹部に嵌合する拡散凸部であることを特徴とする請求項２記載の加熱調理器。
【請求項４】
前記導光板保持部材の第１の拡散部は、頂部を有し、頂部の両側に三角形状の拡散面を有することを特徴とする請求項３記載の加熱調理器。
【請求項５】
前記導光板保持部材の第１の拡散部の頂部はＲ形状であることを特徴とする請求項４記載の加熱調理器。
【請求項６】
前記導光板保持部材は、前記第１の拡散部の間に該第１の拡散部によって拡散された光を更に拡散する第２の拡散部を有することを特徴とする請求項２〜５記載の加熱調理器。
【請求項７】
前記光リングの上部又は下部位置に多くの発光素子を配置したことを特徴とする請求項１〜６記載の加熱調理器。
【請求項８】
前記導光板の表面にシボ加工を施したことを特徴とする請求項１〜７記載の加熱調理器。
【請求項９】
前記導光板の表面にシボ加工を施すと共に、発光素子対向部から離れるに従い、シボの粗さを変化させたことを特徴とする請求項８記載の加熱調理器。
【発明の詳細な説明】
【技術分野】
【０００１】
本発明は加熱調理器、特に高周波加熱調理器のダイヤル操作ボタンの周辺の発光部の構成に関するものである。
【背景技術】
【０００２】
従来の加熱調理器のガスコンロは、金属製の操作パネルにコンロ部に対応した操作ツマミが配設されている。その操作ツマミの外周囲には、加熱作動時に光って加熱作動表示を行う筒状発光部材が操作ツマミを囲むように配置されている。その筒状発光部材には後方側に向かう光源の光を前方側に反射させ、且つ操作ツマミに印加等した静電気を本体前面の金属製の操作パネル板にアースさせるための環状アース部材が取り付けられている。
その筒状発光部材は、上方に配置された複数の加熱量表示用光源に対応して大径リング部の周方向に間隔を存して略Ｌ字状導光部材が複数嵌め込まれ、各導光部材は、一方側端部の入射部を大径リング部の側面に露出させて加熱量表示用光源に対向させ、他方側端部の出射部を小径リング部に至らせて筒状発光部材の前方に向けるようにし、各加熱量表示用光源からの光を各導光部材を介して前方に照射させるようにしている。
その加熱量表示用光源はＬＥＤであり、ＬＥＤの脚をＬ字に曲げた脚を表示用基板に取り付け、ＬＥＤを導光板に当てるようにしている（例えば、特許文献１参照）。
【特許文献１】特開２００６−９２８３２号公報（第４、６頁、図２、３）
【発明の開示】
【発明が解決しようとする課題】
【０００３】
上記のような従来の加熱調理器では、筒状発光部材は、上方に配置された複数の加熱量表示用光源であるＬＥＤに対応して大径リング部の周方向に間隔を存して略Ｌ字状導光部材が複数嵌め込まれ、各導光部材は、一方側端部の入射部を大径リング部の側面に露出させてＬＥＤに対向させ、他方側端部の出射部を小径リング部に至らせて筒状発光部材の前方に向けるようにし、各ＬＥＤからの光を各導光部材を介して前方に照射させるようにしているが、導光部材は光を導くだけであるため、ＬＥＤが配置されている付近のみ光が強くなる傾向にあり、且つ、リングが全周均一に発光することができないので、見栄えが悪いという問題があった。
また、ＬＥＤはＬ字に曲げることができるだけの脚長が必要となり、基板組立時には手挿にて行う必要があり、ＬＥＤの２本の脚は極性があるため、基板に極性を逆に取り付けてしまうとＬＥＤが発光しないために、手挿の場合は極性を目視にて確認する必要があるが、誤って極性を逆に脚を取り付けてしまうこともあった。
さらに、組立時にＬＥＤの脚部を曲げる必要があり、組立性が悪く、ＬＥＤの脚折れが発生したり、組立作業に手間がかかってしまうという問題が生じていた。
【０００４】
本発明は上記のような問題を解決するためになされたもので、発光素子を使用者側から見えにくい箇所に配置し、発光素子の光を導光板に設けた拡散部にて円周方向と鉛直方向に拡散させることにより、ダイヤル操作ボタンを取り囲む光リングを均一に発光させ、見栄えを向上させた加熱調理器を提供することを目的とする。
【課題を解決するための手段】
【０００５】
本発明に係る加熱調理器は、加熱調理器本体の前面側パネル又はドア内に配設された基板に取り付けられた複数の発光素子と、透明な樹脂からなる円筒状の導光板本体及び該導光板本体の一端面から斜めに延出して形成され、端面が前記発光素子と対向する複数の突部からなる導光板と、前記導光板の各突部の外周面に設けられ、該各突部の端面から入射した発光素子の光を該突部内周面に向けて内部に反射する反射部材と、該反射部材によって反射された発光素子の光を前記導光板の円周方向と鉛直方向に拡散させる第１の拡散部を有し、且つ前記基板に取り付けられて前記導光板を保持する導光板保持部材と、前記加熱調理器本体の前面側パネル又はドア表面のスイッチ取付穴に取り付けられ、裏面の一部が前記導光板本体の他端面に当接され、表面が前面側パネル又は前記ドア表面側に位置する透明な樹脂で形成された光リングと、光リングの内側に配置されたダイヤル操作ボタンとを備えて構成されている。
【発明の効果】
【０００６】
本発明の加熱調理器においては、複数の発光素子が発光した光は、導光板の導光板本体の一端面から斜めに延出して形成された複数の突部の端面にそれぞれ入射し、各突部内を進行し、各突部の外周面に設けられた反射部材で反射し、反射部材で反射した光は突部の内縁側に設けられた導光板保持部材の第１の拡散部によって、導光板の円周方向と鉛直方向に拡散させられるため、導光板の導光板本体の他端面全体からでた光は導光板本体の他端面に対向して配置された光リングの全体に入射され、加熱調理器本体の前面側パネル又はドアの前面側で外部に露出し、ダイヤル操作ボタンを取り囲む光リングが全周均一に発光するので、見栄えを改善することができる。
【発明を実施するための最良の形態】
【０００７】
実施の形態１．
図１は本発明の実施の形態１の高周波加熱調理器のダイヤル操作ボタンの部分の縦断面図、図２は同高周波加熱調理器の外観を示す斜視図、図３は同高周波加熱調理器の導光板における光の進行方向を示す説明図、図４は同高周波加熱調理器の導光板の正面図、図５は図４のＡ−Ａ線断面図、図６は同高周波加熱調理器の導光板保持部材の正面図、図７は図５のＢ−Ｂ線断面図、図８は同高周波加熱調理器の光の進行状態を示す斜視図である。
図２において、高周波加熱調理器本体１には前面側に開閉するドア２が設けられている。ドア２の表面下方には、その左側にレンジ、オーブン、スチーム、オートメニューの調理方法の選択を行う調理方法操作部３が設けられ、略中央に出力、時間等を表示するメイン表示部４が設けられ、そのメイン表示部４の隣に時間、出力、温度等を選択するダイヤル操作ボタン５が設けられ、そのダイヤル操作ボタン５の隣にスタートボタン６が設けられ、その右側上方にハンバーグ、フライ、肉じゃが、グラタン等の調理の種類を表示するメニュー表示部７が設けられ、その右側下方に取消キー８が設けられている。
【０００８】
図１において、ドア２の内部に配設された基板１０上には、時間、出力、温度等を選択するために動作する円筒状で一端にフランジ１１ａを有し、他端に係止部１１ｂを有するエンコーダ１１と、エンコーダ１１に選択された時間、出力等を決定するために動作する箱型のスイッチ１２と、発光素子であるＬＥＤ１３と、出力等を表示するメイン表示部４の電気端子が配設されている。
ダイヤル操作ボタン５の有底円筒状の押圧操作用ボタン１５の底部がスイッチ１２を取り囲むようにして基板１１に当接させられている。
その押圧操作用ボタン１５は、その頭部中央にスイッチ１２を押して動作させるスイッチ押圧内筒１６を有し、さらに頭部外縁にフランジ１７を有している。そして、押圧操作用ボタン１５の頭部外縁のフランジ１７を底の浅い有底円筒状の透明な合成樹脂製の飾りダイヤル１８で覆っている。
その飾りダイヤル１８の底部内面に「スタート」、「決定」等の文字が記載された印刷シート１９が取り付けられている。
【０００９】
また、円筒状のエンコーダ１１が押圧操作用ボタン１５の底部側を取り巻くように配置させられている。このエンコーダ１１の外周と飾りダイヤル１８の外周を円筒状のエンコーダ操作用ダイヤル２０が覆っている。そのエンコーダ操作用ダイヤル２０はその中間に段部２１を有しており、段部２１を境に小径の下部はエンコーダ１１の係止部１１ｂと係合しており、段部２１を境に大径の上部は飾りダイヤル１８の外周と摺接している。
更に、エンコーダ１１の外周にリング状の導光板保持部材２４が嵌め付けられている。
【００１０】
そのリング状の導光板保持部材２４は、図６に示すようにその外周に９０度の等角度間隔で突出部２５が設けられており、その各突出部２５にＬＥＤ１３の頭部が臨むＬＥＤ用窓２６が設けられている。また、図６及び図７に示すように、導光板保持部材２４の突出部２５がある位置の内側表面に断面三角形状で頂部を有し、その頂部両側に三角形の拡散面を有する第１の拡散部である拡散凸部２７が設けられている。導光板保持部材２４は光を通さない非透明な部材で形成されており、導光板保持部材２４の拡散凸部２７の表面も光を通さない面として形成されている。そのリング状の導光板保持部材２４に円筒状の導光板２９が嵌め付けられる。
【００１１】
その導光板２９は、図４、図５に示すように透明な合成樹脂からなる円筒状の導光板本体３０と、導光板本体３０の一端から斜めに延出して形成され、導光板本体３０の一端外周に９０度の等角度間隔を置いて設けられた複数の突部３１とから構成されている。
そして、導光板２９は突部３１の端面から導光板本体３０の他端の端面へ光を通すように構成されている。なお、図５では説明のため図４には図示しないリング３３と反射部材３４も図示している。
また、図５に示すように、導光板２９の突部３１の内縁側に断面三角形状で凹み、導光板保持部材２４の拡散凸部２７と嵌合する拡散凹部３２が設けられている。
【００１２】
この導光板２９の外周の一部にリング３３が設けられ、突部３１の外周面には該リング３３の一端に一体に取り付けられた反射部材３４が設けられている。なお、本実施の形態ではリング３３との一端に反射部材３４を一体に取り付けた例を示しているが、本実施の形態に限らず、単純に突部３１の外周面に反射部材３４として比較的反射性が良好な塗料を塗る構成や、金属蒸着する構成、貼付面が比較的反左派性が良好なシールなどで構成しても良い。
さらに、導光板２９の導光板本体３０の他端面は透明な合成樹脂で形成された光リング４０の裏面と対向している。その光リング４０の裏面には、リング状の嵌合凸部４１が設けられている。そのリング状の嵌合凸部４１が導光板３０の一端外周を取り巻くように配置させられている。
【００１３】
ドア２の基板１１の背面側には絶縁シート５１と絶縁シート５１に一体の加熱室からの熱を遮熱するアルミ製の遮熱板５２が設けられている。その遮熱板５２の背面側に加熱室からの熱を遮熱する合成樹脂製の基板保護材５３が設けられており、その基板保護材５３の背面側に高周波がドア２から漏れないようにした板金製の電波チョーク部５４が設けられている。
そして、ドア２の最終的な背面側である裏面側には電波チョーク部５４を保護する合成樹脂製の電波シール保護材５５が設けられている。
【００１４】
次に、本発明の実施の形態１の高周波加熱調理器の設定動作について説明する。
例えば、「レンジ  出力６００Ｗ  ２分」を動作させる時の手順について説明する。
調理方法操作部３の「レンジ」キーを押してレンジモードを選択する。そうすると、メイン表示部４に「出力を設定して下さい」の表示がされる。
そこで、ダイヤル操作ボタン５のエンコーダ操作用ダイヤル２０を回して「出力６００Ｗ」をメイン表示部４に表示させる。そうすると、メイン表示部４に「決定を設定して下さい」の表示がされる。
そこで、ダイヤル操作ボタン５の中央の押圧操作ボタン１５を押して決定をさせる。この押圧操作ボタン１５の押圧操作によって決定用のスイッチ１２がオンされる。
そうすると、メイン表示部４に「時間を設定して下さい」の表示がされる。
そこで、ダイヤル操作ボタン５のエンコーダ操作用ダイヤル２０を回して「２分」をメイン表示部４に表示させる。そうすると、メイン表示部４に「決定を設定して下さい」の表示がされる。
そこで、ダイヤル操作ボタン５の中央の押圧操作ボタン１５を押して決定をさせる。
最後に、スタートボタン６を押して調理をスタートさせる。
このように、それぞれの入力が必要される設定の際に、ＬＥＤ１３が点灯して使用者に設定を促すようになっている。
【００１５】
次に、ＬＥＤ１３の点灯によって光リング４０が全体的に光る仕組みについて図１、図３及び図８に基づいて説明する。
図１に示すように、ＬＥＤ１３は基板１０に対して垂直に取付けられており、ＬＥＤ１３の頭部は導光板保持部材の２４の突出部２５のＬＥＤ用窓２６に臨んでいる。そのＬＥＤ１３の頭部の対向位置に導光板２９の突部３１の端面が対向して配置されており、突部３１の外周面に反射部材３４が設けられ、突部３１の内縁側の拡散凹部３２には導光板保持部材２４の突出部２５に設けられた光を通さない拡散面を有する拡散凸部２７が嵌合し、拡散凹部３２の面は光を通さない拡散面となっている。
【００１６】
従って、各ＬＥＤ１３が発光した光は、ＬＥＤ用窓２６を通って導光板２９の突部３１の端面に入射し、突部３１内を進行し、各突部３１の外周面に設けられた反射部材３４で反射し、反射した光は図１及び図３に示すように突部３１の内縁側に設けられた拡散凹部３２の拡散面によって導光板２９の円周方向に拡散する（図３及び図８の矢印を参照）と共に鉛直方向に拡散する（図１及び図８の矢印参照）ため、導光板２９の導光板本体３０の他端面全体からでた光は導光板本体３０の他端面に対向して配置された光リング４０の全体に入射され、ドア２の前面側で外部に露出し、ダイヤル操作ボタン５を取り囲む光リング４０が全周均一に発光するので、見栄えを改善することができる。
【００１７】
また、ＬＥＤ１３を基板１０に対し垂直に取り付けることで、ＬＥＤ１３の脚を曲げることも必要なくなり、作業性が改善されると共に、脚を曲げることによる脚折れ等の不具合もなくすことができる。
また、導光板２９の断面三角形状の拡散凹部３２の拡散面と導光板保持部材２４の断面三角形状の拡散凸部２７の拡散面との形状を合わせることで、導光板保持部材２４に導光板２９をセットする場合の位置決めにもなり得る。これにより、組立の作業性改善につなげることも可能である。
上記実施の形態１では導光板２９の突部３１の内縁側の拡散凹部３２と導光板保持部材２４の突出部２５の拡散凸部２７とは嵌合し、これら拡散凹部３２と拡散凸部２７は断面三角形状で頂部を有しているが、その頂部の角部をＲを取って滑らかな半ドーム状にしてもよい。
【００１８】
実施の形態２．
図９は本発明の実施の形態２の高周波加熱調理器の導光板と導光板保持部材の正面図で、図９の（ａ）は導光板を示し、図９の（ｂ）は導光板保持部材を示している。
上記実施の形態１は、導光板２９の突部３１の内縁側に拡散凹部３２を設け、その拡散凹部３２は導光板保持部材２４の突出部２５の拡散凸部２７と嵌合するようにしているが、この実施の形態２では、図９の（ａ）に示すように、導光板３０の内縁側に設けられた複数の第１の拡散凹部３２の間にそれぞれ断面三角形状の第２の拡散凹部６２を外縁側に設けている。
それに伴い、図９の（ｂ）に示すように、導光板保持部材２４に導光板３０の第２の拡散凹部６２と嵌合する第２の拡散凸部５７を設けている。
【００１９】
このように実施の形態２では、導光板２９の内縁側に設けられた複数の第１の拡散凹部３２の間にそれぞれ第２の拡散凹部６２を設けているので、ＬＥＤ１３から外周方向に拡散された光を第２の拡散凹部６２で更に拡散させるため、導光板２９をより均一に発光させることができる。
【００２０】
実施の形態３．
図１０は本発明の実施の形態３の高周波加熱調理器の導光板と導光板保持部材の正面図で、図１０の（ａ）は導光板を示し、図１０の（ｂ）は導光板保持部材を示している。
この実施の形態３は、ユーザの目線や高周波加熱調理器本体１の通常設置状態を想定し、ダイヤル操作ボタン５におけるエンコーダ操作用ダイヤル２０の周囲に配置された光リング４０の良く見える位置（図１では上側位置）に、より多くのＬＥＤ１３を配置させるようにしたものである。
即ち、図１０の（ａ）に示すように、導光板２９の上側位置に例えば３つの突部３１を設け、各突部３１の内縁側に拡散凹部３２を設ける。また、図１０の（ｂ）に示すように、導光板保持部材２４の上側位置にも３つの突出部２５を設け、各突出部２５にＬＥＤ用窓２６を設ける。
そして、そのＬＥＤ用窓２６にＬＥＤ１３の頭部を臨むように配置し、その突出部２５がある位置の内側表面に、導光板３０の拡散凹部３２と嵌合する拡散凸部２７を設けたものである。
【００２１】
このように実施の形態３では、光リング４０の良く見る上側位置に、より多くのＬＥＤ１３の光が導光板３０に投射され、導光板３０の突部３１を通過した光が入射されるため、光リング４０のユーザがよく見える位置をより光らせることができるので、使い勝手を向上させたり、見栄えをよくすることができる。
なお、実施の形態３では光リング４０の良く見える位置は、光リング４０の内側に配置されるダイヤル操作ボタン５がドア２の下側に設けられていることから、光リング４０の上側であるが、光リング４０の内側に配置されるダイヤル操作ボタン５がドア２の上側に設けられている場合には光リング４０の良く見える位置は、光リング４０の下側となる。
【００２２】
実施の形態４．
この実施の形態４は、導光板２９の突部３１を除いた外周面と内周面と一端面にシボ加工を施すようにしている。ここにいうシボ加工とは、樹脂製の部品の表面を細かな凹凸加工を施し、表面をあらす加工のことをいう。
透明な導光板２９にシボ加工を施すことにより、導光板２９の内部に導かれた光を外部に漏れにくくすることができ、また光を拡散させることもできる。
そこで、導光板２９におけるＬＥＤ対向部から離れるに従いシボ加工の粗さを変化させる。例えば、導光板２９におけるＬＥＤ対向部に近い部分は細かいシボ、離れるに従いシボを粗くする。
【００２３】
このように実施の形態４では、導光板２９におけるＬＥＤ対向部から離れるに従いシボ加工の粗さを変化させる、即ち導光板２９におけるＬＥＤ１３の対向部に近い部分は細かいシボ、離れるに従いシボを粗くすることにより、導光板２９においてＬＥＤ１３の対向部に近い部分は光を漏れにくくし、ＬＥＤ対向部から離れるに従い、つまり光リング４０に近づくにつれて光を漏れ易くして光の明るさを調整するようにしている。
なお、シボ加工は、樹脂を成型する際の金型に凹凸加工を施すことにより生成することができる。よって、金型を調整することにより、シボ加工の粗さを変化させることができる。
【００２４】
上記実施の形態１〜４は、ドア２に光リング４０の内側に配置されるダイヤル操作ボタン５を設けた例を示しているが、高周波加熱調理器本体１の前面側パネルに光リング４０の内側に配置されるダイヤル操作ボタン５を設けたものについても本発明が適用されることはいうまでもない。
【図面の簡単な説明】
【００２５】
【図１】本発明の実施の形態１の高周波加熱調理器のダイヤル操作ボタンの部分の縦断面図。
【図２】同高周波加熱調理器の外観を示す斜視図。
【図３】同高周波加熱調理器の導光板における光の進行方向を示す説明図。
【図４】同高周波加熱調理器の導光板の正面図。
【図５】図４のＡ−Ａ線断面図。
【図６】同高周波加熱調理器の導光板保持部材の正面図。
【図７】図５のＢ−Ｂ線断面図。
【図８】同高周波加熱調理器の光の進行状態を示す斜視図。
【図９】本発明の実施の形態２の高周波加熱調理器の導光板と導光板保持部材の正面図。
【図１０】本発明の実施の形態３の高周波加熱調理器の導光板と導光板保持部材の正面図。
【符号の説明】
【００２６】
１  高周波加熱調理器本体、２  ドア、５  ダイヤル操作ボタン、１０  基板、１１  エンコーダ、１２  スイッチ、１３  ＬＥＤ（発光ダイオード）、１５  押圧操作ボタン、１６  スイッチ押圧内筒、１７  フランジ、１８  飾りダイヤル、２０  エンコーダ操作用ダイヤル、２４  導光板保持部材、２５  突出部、２６  ＬＥＤ用窓、２７  拡散凸部、２９  導光板、３０  導光板本体、３１  突部、３２  拡散凹部、３４  反射部材、４０  光リング。
【図１】
2008281250.tif 000003
【図２】
2008281250.tif 000004
【図３】
2008281250.tif 000005
【図４】
2008281250.tif 000006
【図５】
2008281250.tif 000007
【図６】
2008281250.tif 000008
【図７】
2008281250.tif 000009
【図８】
2008281250.tif 000010
【図９】
2008281250.tif 000011
【図１０】
2008281250.tif 000012